【手続補正書】
【提出日】平成18年2月14日(2006.2.14)
【手続補正１】
【補正対象書類名】明細書
【補正対象項目名】発明の名称
【補正方法】変更
【補正の内容】
【発明の名称】カメラ制御装置、その動作処理方法、及びプログラム、並びに携帯電話端末、その動作処理方法、及びプログラム
【手続補正２】
【補正対象書類名】明細書
【補正対象項目名】特許請求の範囲
【補正方法】変更
【補正の内容】
【特許請求の範囲】
【請求項１】  各キーの操作により入力が可能なカメラ制御装置であって、
カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１及び第２のインジケータを非表示にする制御手段を有することを特徴とするカメラ制御装置。
【請求項２】 前記制御手段は、前記キーの操作解除から一定時間経過した時点で前記第１及び第２のインジケータを非表示にするように制御することを特徴とする請求項１に記載のカメラ制御装置。
【請求項３】 前記制御手段は、前記キーの操作解除から一定時間経過した時点でカメラ制御要求信号をカメラに送信するか、または、送信待ち状態にするように制御することを特徴とする請求項１に記載のカメラ制御装置。
【請求項４】 前記制御手段は、前記カメラ制御要求信号を送信する際に前記第１及び第２のインジケータを非表示にするように制御することを特徴とする請求項３に記載のカメラ制御装置。
【請求項５】 前記制御手段は、前記カメラの制御が成功した場合には前記第１及び第２のインジケータを非表示にし、前記カメラの制御に失敗した場合は前記第１及び第２のインジケータの表示状態を継続するように制御することを特徴とする請求項１乃至４のいずれか１項に記載のカメラ制御装置。
【請求項６】 前記制御手段は、カメラ制御パラメータ設定用キーの操作解除によりカメラパラメータの設定が終了した後、キャンセルキーを操作すると、カメラパラメータが設定前の状態に初期化されると共に、初期化されたカメラパラメータの設定値を表すインジケータが表示され、キャンセルキーを操作解除すると、前記インジケータが非表示になるように制御することを特徴とする請求項１乃至５のいずれか１項に記載のカメラ制御装置。
【請求項７】 前記制御手段は、カメラ制御パラメータ設定用キーの操作解除によりカメラパラメータの設定が終了した後、キャンセルキーを操作すると、段階的なカメラパラメータの初期化が開始されると共に、初期化中のカメラパラメータの設定値を表すインジケータが表示され、キャンセルキーを操作解除すると、前記インジケータが非表示になるように制御することを特徴とする請求項１乃至５のいずれか１項に記載のカメラ制御装置。
【請求項８】 前記制御手段は、最後に要求したカメラ制御に成功した時点、または現在表示中の画像が撮影された時点でのカメラパラメータの値を表すインジケータと、次回のカメラ制御要求時に送信するカメラパラメータの設定値を表すインジケータとを画面上に同時に表示するように制御することを特徴とする請求項１乃至７のいずれか１項に記載のカメラ制御装置。
【請求項９】 前記カメラの撮影画像に前記第１及び第２のインジケータを重畳して表示する表示手段をさらに有することを特徴とする請求項１乃至８のいずれか１項に記載のカメラ制御装置。
【請求項１０】 請求項１乃至９のいずれか１項に記載のカメラ制御装置の動作処理方法。
【請求項１１】 請求項１０に記載の動作処理方法を実行するためのプログラム。
【請求項１２】 各キーの操作により入力が可能な携帯電話端末であって、
電話通信のために使用可能な各キーにカメラのパラメータ設定用キーとしての機能を割り当て、前記カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１及び第２のインジケータを非表示にする制御手段を有することを特徴とする携帯電話端末。
【請求項１３】 前記カメラの撮影画像に前記第１及び第２のインジケータを重畳して表示する表示手段をさらに有することを特徴とする請求項１２に記載の携帯電話端末。
【請求項１４】 請求項１２または１３に記載の携帯電話端末の動作処理方法。
【請求項１５】 請求項１４に記載の動作処理方法を実行するためのプログラム。
【手続補正３】
【補正対象書類名】明細書
【補正対象項目名】０００１
【補正方法】変更
【補正の内容】
【０００１】
【発明の属する技術分野】
本発明は、携帯電話端末等の通信速度が遅く、画面が小さく、入力手段が限られた端末で遠隔地に設置されたカメラを制御する際に用いるカメラ制御装置、その動作処理方法、及びプログラム、並びに携帯電話端末、その動作処理方法、及びプログラムに関する。
【手続補正４】
【補正対象書類名】明細書
【補正対象項目名】０００８
【補正方法】変更
【補正の内容】
【０００８】
本発明は、上述したような従来技術の有する問題点を解消するためになされたもので、その目的は、携帯電話端末等の携帯機器端末のように、画面が小さく、通信速度が遅く、入力手段が限られた機器端末において、最少のキー操作で所望のカメラ制御を確実に行うことができるカメラ制御装置、その動作処理方法、及びプログラム、並びに携帯電話端末、その動作処理方法、及びプログラムを提供することである。
【手続補正５】
【補正対象書類名】明細書
【補正対象項目名】０００９
【補正方法】変更
【補正の内容】
【０００９】
【課題を解決するための手段】
上記目的を達成するために、請求項１に記載のカメラ制御装置は、各キーの操作により入力が可能なカメラ制御装置であって、カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１及び第２のインジケータを非表示にする制御手段を有することを特徴とする。
請求項１０に記載の動作処理方法は、請求項１に記載のカメラ制御装置の動作処理方法である。
請求項１１に記載のプログラムは、請求項１０に記載の動作処理方法を実行するためのプログラムである。
上記目的を達成するために、請求項１２に記載の携帯電話端末は、各キーの操作により入力が可能な携帯電話端末であって、電話通信のために使用可能な各キーにカメラのパラメータ設定用キーとしての機能を割り当て、前記カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１及び第２のインジケータを非表示にする制御手段を有することを特徴とする。
請求項１４に記載の動作処理方法は、請求項１２に記載の携帯電話端末の動作処理方法である。
請求項１５に記載のプログラムは、請求項１４に記載の動作処理方法を実行するためのプログラムである。
【手続補正６】
【補正対象書類名】明細書
【補正対象項目名】００５５
【補正方法】削除
【補正の内容】
【手続補正７】
【補正対象書類名】明細書
【補正対象項目名】００５６
【補正方法】削除
【補正の内容】
【手続補正８】
【補正対象書類名】明細書
【補正対象項目名】００５７
【補正方法】削除
【補正の内容】
【手続補正９】
【補正対象書類名】明細書
【補正対象項目名】００５８
【補正方法】削除
【補正の内容】
【手続補正１０】
【補正対象書類名】明細書
【補正対象項目名】００５９
【補正方法】削除
【補正の内容】
【手続補正１１】
【補正対象書類名】明細書
【補正対象項目名】００６０
【補正方法】削除
【補正の内容】
【手続補正１２】
【補正対象書類名】明細書
【補正対象項目名】００６１
【補正方法】削除
【補正の内容】
【手続補正１３】
【補正対象書類名】明細書
【補正対象項目名】００６２
【補正方法】削除
【補正の内容】
【手続補正１４】
【補正対象書類名】明細書
【補正対象項目名】００６３
【補正方法】削除
【補正の内容】
【手続補正１５】
【補正対象書類名】明細書
【補正対象項目名】００６４
【補正方法】変更
【補正の内容】
【００６４】
【発明の効果】
以上詳述したように、本発明によれば、遠隔カメラ制御用のビューワアプリケーションを使用することで、携帯電話等の形態機器端末のように、画面が小さく、通信速度が遅く、入力手段が限られた機器端末において、最少のキー操作で所望のカメラ制御を確実に行うことができる。